(57)【特許請求の範囲】
【請求項１】
粘性流動体を収納し得るようにした容器の蓋に搭載された駆動装置により駆動される駆動軸と、
該駆動軸と共に回転し得るよう駆動軸に固設されると共に、下面に傾斜面を有する傾斜カムと、
バネ手段により上方へ付勢されて前記傾斜カムの傾斜面に間接的若しくは直接的に当接し且つシリンダー室内を摺動し得るようにした昇降可能なプランジャと、
前記傾斜カムの回転に伴い前記バネ手段の反力によりプランジャが上昇することによって生ずる吸引力により、吸込口から吸込んだ粘性流動体が前記シリンダー室に吸込まれるべく、吸込口とシリンダー室とが連通するよう設けられた吸込路と、
前記プランジャが前記バネ手段の反力により上昇することによりシリンダー室に粘性流動体が吸込まれる際には閉止し、前記プランジャが前記傾斜カムの傾斜面に押されて下降することにより、シリンダー室から粘性流動体が吐出される際には開くようにしたチェッキボールを備えたチェッキ弁と、
入口部にチェッキ弁のチェッキボールが位置すると共に、該チェッキ弁のチェッキボールが開くことにより吐出された粘性流動体を外部に供給するようにした吐出路とを備えた粘性流動体供給ポンプであって、
前記吸込口には、吸込口から吸込口の上方側に設けた吸込路へ粘性流動体を送給するためのスクリュー軸が前記駆動軸により駆動可能に配設されており、
しかも、前記スクリュー軸を回転させる駆動軸及び駆動装置は前記吸込路よりも上部に位置していることを特徴とする粘性流動体供給ポンプ。
【請求項２】
プランジャは、上端が傾斜カムの傾斜面に当接したプランジャ受けに接続されている請求項１に記載の粘性流動体供給ポンプ。
【発明の詳細な説明】
【０００１】
【発明の属する技術分野】
本発明は粘性流動体供給ポンプに関するものである。
【０００２】
【従来の技術】
グリース等の粘度の高い粘性流動体を市販のドラム缶、ペール缶等の容器より直接吸引し、高圧力で且つ少量吐出させることにより、産業機械等各種機械の給油箇所にグリースを供給し得るようにした給油ポンプは従来から知られている。而して、斯かる給油ポンプの一例は図２〜図４に示されている。図２中、１はドラム缶、ペール缶等の容器、２は容器１の上部開口部を塞ぐ蓋であり、蓋２には電動機３及び減速機４を備えた駆動装置５が搭載され、減速機４に接続した駆動軸７は、蓋２を貫通して容器１内に回転自在に突出している。
【０００３】
減速機４の下面には、内部を駆動軸７が延在するようにした中空円筒８が駆動軸７に対して同心状になるよう接続されて駆動軸７の下端よりも下方まで延在しており、中空円筒８の下端にはブロック９が接続されている。駆動軸７の下端近傍は、中空円筒８に内嵌された軸受１０に回転自在に支持されており、駆動軸７の軸受１０よりも下方に突出する下端部には、下面に傾斜面１１ａを有する円筒状の傾斜カム１１が固設されている。
【０００４】
ブロック９には、下端が開口して高さ方向中間部まで延在する吸込口１２が設けられると共に、ブロック９には所定数（１本でも複数本でも良いが、図３では２本の場合を例示）のシリンダー室１３が、上部はブロック９の上端を貫通し下部はブロック９の高さ方向中途部に位置するよう設けられており、吸込口１２の上端部近傍とシリンダー室１３の下端に近い高さ方向中途部の位置とは、ブロック９の径方向へ設けられた吸込路１４により連通されている。
【０００５】
而して、各シリンダー室１３には、上下に摺動可能なプランジャ１５が嵌入されており、プランジャ１５の上端は、頂部に傾斜カム１１の下面に形成した傾斜面１１ａに当接する球状部１６ａを有するプランジャ受け１６に接続されている。又、下端がブロック９の上面に支持され、上端がプランジャ受け１６に設けたフランジ部１６ｂ下面に当接されるようにしたスプリング１７が、プランジャ１５のブロック９よりも上方へ突出した部分及びプランジャ受け１６の胴部外周を包囲するよう、配設されている。而して、スプリング１７はプランジャ受け１６及びプランジャ１５を常時上方へ付勢し得るようになっている。
【０００６】
ブロック９に設けた各シリンダー室１３の下端には、プラグ１９により閉塞されていない部分により、シリンダー室１３と連通し得るようにした油室２０が形成されている。而して、ブロック９には、一端が油室２０に連通し、他端がブロック９外側に開口した吐出路２１が形成されており、吐出路２１には、容器１内を上昇して蓋２を貫通し、グリースを機械の給油箇所へ供給するための供給管２２が接続されている。
【０００７】
油室２０には、上端が油室２０の上面と当接するよう、弁座体２３が収納されている。而して、弁座体２３は上端がシリンダー室１３に連通し下端が油室２０に開口する流路２３ａを有すると共に、下端は凹円状に形成された弁座２３ｂを備えている。
【０００８】
油室２０内には弁座２３ｂに当接し得るようにしたチェッキボール２４が収納されていると共に、チェッキボール２４は下端がプラグ１９の凹所１９ａ底部に支持されると共に、上端がチェッキボール２４に当接し得るようにしたスプリング２５により支持され、チェッキボール２４は常時スプリング２５により上方へ付勢されるようになっている。而して、流路２３ａ及び弁座２３ｂを有する弁座体２３、弁座２３ｂに当接し得るチェッキボール２４、スプリング２５によりチェッキ弁が形成されている。
【０００９】
上記給油ポンプでグリースを機械の給油箇所へ給油する場合には、駆動装置５を駆動する。そうすると、駆動軸７が回転することにより、傾斜カム１１が回転する。このため、プランジャ受け１６を介して傾斜カム１１の傾斜面１１ａに押圧されている２本のプランジャ１５のうち、一方のプランジャ１５（例えば、図３の右側のプランジャ１５）はスプリング１７の付勢力により吸込路１４の上縁近傍まで上昇し、シリンダー室１３は拡大する（図３の右側のシリンダー室１３参照）。
【００１０】
このため、当該シリンダー室１３の内圧は負圧になり吸引力が生じるため、容器１内のグリースは、吸込口１２から吸込まれて図３の右側において、吸込路１４からシリンダー室１３へ吸込まれる。この際、図３の右側にあるチェッキ弁のチェッキボール２４はスプリング２５により付勢されて上昇し、弁座体２３の弁座２３ｂに当接しているため、図３の右側のシリンダー室１３からグリースが吐出路２１側へ漏洩することはない。
【００１１】
一方、プランジャ受け１６を介して傾斜カム１１の傾斜面１１ａに押圧されている２本のプランジャ１５のうち、他方のプランジャ１５（例えば、図３の左側のプランジャ１５）はスプリング１７の付勢力に打ち勝って下降し、前回のステップで図３の左側のシリンダー室１３に吸込まれているグリースが下方へ押圧される。このため、他方のプランジャ１５により押圧されている下方のシリンダー室１３の内圧が上昇し、その結果、図３で左側のチェッキ弁のチェッキボール２４がスプリング２５の付勢力に打ち勝ち下降して弁座２３ｂから離反し、チェッキ弁は開いた状態になる。
【００１２】
従って、左側のシリンダー室１３と油室２０とは弁座体２３の流路２３ａを介して連通する結果、左側のシリンダー室１３に吸込まれていたグリースは、弁座体２３の流路２３ａから油室２０を通り吐出路２１へ吐出され、吐出路２１から供給管２２を経て給油箇所へ供給される。
【００１３】
更に駆動軸７の回転により傾斜カム１１が回転し、図３に示す場合と傾斜面１１ａの傾斜方向が逆になると、前記したと同様の原理で、図３の左側のシリンダー室１３にグリースが吸込まれ、図３の右側のシリンダー室１３に吸込まれているグリースが、右側の弁座体２３の流路２３ａから油室２０を通り吐出路２１へ吐出され、吐出路２１から供給管２２を経て給油箇所へ供給される。
【００１４】
而して、駆動軸７及び傾斜カム１１の回転により左右のプランジャ１５が交互に昇降し、その結果グリースは円滑に給油箇所に供給される。なお、プランジャ１５が１本又は３本以上であっても、上述の場合と同様に作動して給油が行われる。
【００１５】
【発明が解決しようとする課題】
上記給油ポンプにおいては、容器１内のグリースの残量が少ない場合にもグリースを給油ポンプのシリンダー室１３に吸込ませるためには、給油ポンプの吸込口１２に連通する吸込路１４をできるだけ容器１の底面近傍に設ける必要がある。しかしながら、従来の給油ポンプでは、吸込口１２の下端から吸込路１４までの距離Ｌが長くなってしまう。
【００１６】
このため、吸込口１２のグリース流入抵抗が増大して、シリンダー室１３へのグリースの流入が途切れ、その結果シリンダー室１３内に空所が形成されてポンプ動作が空打ちとなるという不都合な現象が生じる虞がある。
【００１７】
本発明は、斯かる実情に鑑み、吸込口に連通する吸込路の位置が容器底面から離反していて、吸込口におけるグリース等の粘性流動体の流入抵抗が大きい場合にも、確実に粘性流動体を吸込路からシリンダー室へ流入させ得るようにした粘性流動体供給ポンプを提供することを目的としてなしたものである。
【００１８】
【課題を解決するための手段】
請求項１の粘性流動体供給ポンプは、
粘性流動体を収納し得るようにした容器の蓋に搭載された駆動装置により駆動される駆動軸と、
該駆動軸と共に回転し得るよう駆動軸に固設されると共に、下面に傾斜面を有する傾斜カムと、
バネ手段により上方へ付勢されて前記傾斜カムの傾斜面に間接的若しくは直接的に当接し且つシリンダー室内を摺動し得るようにした昇降可能なプランジャと、
前記傾斜カムの回転に伴い前記バネ手段の反力によりプランジャが上昇することによって生ずる吸引力により、吸込口から吸込んだ粘性流動体が前記シリンダー室に吸込まれるべく、吸込口とシリンダー室とが連通するよう設けられた吸込路と、
前記プランジャが前記バネ手段の反力により上昇することによりシリンダー室に粘性流動体が吸込まれる際には閉止し、前記プランジャが前記傾斜カムの傾斜面に押されて下降することにより、シリンダー室から粘性流動体が吐出される際には開くようにしたチェッキボールを備えたチェッキ弁と、
入口部にチェッキ弁のチェッキボールが位置すると共に、該チェッキ弁のチェッキボールが開くことにより吐出された粘性流動体を外部に供給するようにした吐出路とを備えた粘性流動体供給ポンプであって、
前記吸込口には、吸込口から吸込口の上方側に設けた吸込路へ粘性流動体を送給するためのスクリュー軸が前記駆動軸により駆動可能に配設されており、
しかも、前記スクリュー軸を回転させる駆動軸及び駆動装置は前記吸込路よりも上部に位置しているものである。
【００２０】
請求項３の粘性流動体供給ポンプにおいては、スクリュー軸は駆動軸に接続され、該駆動軸の回転により回転し得るよう構成されている。
【００２１】
本発明の粘性流動体供給ポンプにおいては、駆動軸が駆動されることにより傾斜カムが回転し、傾斜カムの回転に従いプランジャはシリンダー室を昇降する。而して、プランジャがシリンダー室を上昇すると、シリンダー室内は負圧になって吸引力が生じるため、容器内の粘性流動体は、吸込口から吸込路を通ってシリンダー室へ吸込まれる。この際、吸込口に配設されているスクリュー軸が回転するため、粘性流動体はスクリューにより強制的に吸込口を上昇して吸込路に送給される。
【００２２】
プランジャがシリンダー室を下降すると、粘性流動体が押圧されることにより、粘性流動体の圧力が上昇してチェッキ弁が開き、シリンダー室内の粘性流動体はチェッキ弁から吐出路へ吐出され、外部の所定箇所へ送給される。
【００２３】
本発明によれば、吸込口の下端から吸込路までの距離が長く、吸込口の粘性流動体流入抵抗が大きい場合にも、容易且つ確実に粘性流動体を吸込口及び吸込路からシリンダー室へ流入させることでき、このため、シリンダー室内は確実に粘性流動体により充たすことができるため、空打ちがなくなってポンプ吐出性能が飛躍的に向上し、又、容器内に残存する粘性流動体が少量の場合でも確実に吸込み、吐出することができる。
【００２４】
【発明の実施の形態】
以下、本発明の実施の形態を図示例と共に説明する。
図１は本発明を実施する形態の一例であって、図中、図３、４と同一の符号を付した部分は同一のものを表わしており、基本的な構成は図３に示す従来のものと同様である。而して、本図示例の特徴とするところは、図１に示す如く、スクリュー軸２６を設けた点にある。
【００２５】
すなわち、スクリュー軸２６は駆動軸７の下端に接続されると共に、下方へ延在し、ブロック９の軸心部を貫通して吸込口１２内まで延在し、その下端は吸込口１２よりも僅かに下方へ突出している。又、スクリュー軸２６の吸込口１２内に位置する部分及び吸込口１２から下方へ突出する部分には、外径が吸込口１２の内周よりも僅かに小径の螺旋状のスクリュー２６ａが設けてある。
【００２６】
次に、上記図示例の作動を説明する。
本図示例でも、粘性流動体供給ポンプでグリースを機械の給油箇所へ給油する場合には、駆動装置５を駆動する。このため、駆動軸７及び傾斜カム１１が回転し、その結果、従来の場合と同様にして、左右のプランジャ１５が交互に昇降し、上昇時にはシリンダー室１３のプランジャ１５下端よりも下方の部分が負圧になって吸引力が生ずることにより、グリースは、吸込口１２及び吸込路１４からシリンダー室１３のプランジャ１５下端よりも下部の部分に吸込まれ、下降時には、シリンダー室１３に吸込まれたグリースは、プランジャ１５により押圧されてシリンダー室１３から弁座体２３の流路２３ａ、チェッキボール２４が開いた状態の油室２０を経て吐出路２１に吐出され、供給管２２から給油箇所に供給される。
【００２７】
この際、駆動軸７の回転により、スクリュー軸２６も回転するため、容器１内のグリースはスクリュー２６ａにより吸込口１２内を上方へ送られる。このため、グリースはシリンダー室１３に生ずる吸引力の他に、スクリュー２６ａによる上方へ向けた機械的な強制力により、吸込口１２から吸込路１４まで送給され、吸込路１４を通ってシリンダー室１３へ導入される。
【００２８】
従って、本図示例の給油ポンプによれば、吸込口１２の下端から吸込路１４までの距離Ｌが長く、吸込口１２のグリース流入抵抗が大きい場合にも、容易且つ確実にグリースを吸込口１２及び吸込路１４からシリンダー室１３へ供給でき、このため、シリンダー室１３内は確実にグリースにより充たすことができるため、空打ちがなくなってポンプ吐出性能が飛躍的に向上する。又、本図示例の給油ポンプによれば、容器１内に残存するグリースが少量の場合でも確実に吸込み、吐出することができる。
【００２９】
なお、本発明の実施の形態においては、ポンプをグリースに適用する場合について説明したが、グリースに限らず種々の粘性流動体に適用することができること、プランジャはプランジャ受けを介して傾斜カムの傾斜面に当接させる場合について説明したが、プランジャの上端を球面にして直接傾斜カムの傾斜面に当接させるようにしても実施可能なこと、その他、本発明の要旨を逸脱しない範囲内において種々変更を加え得ることは勿論である。
【００３０】
【発明の効果】
以上、説明したように本発明の請求項１、２記載の粘性流動体供給ポンプによれば、吸込口の下端から吸込路までの距離が長く、吸込口の粘性流動体流入抵抗が大きい場合にも、容易且つ確実に粘性流動体を吸込口及び吸込路からシリンダー室へ流入させることができ、このため、シリンダー室内は確実に粘性流動体により充たすことができるため、空打ちがなくなってポンプ吐出性能が飛躍的に向上し、又、容器内に残存する粘性流動体が少量の場合でも確実に吸込み、吐出することができる、という優れた効果を奏し得る。
【図面の簡単な説明】
【図１】粘性流動体供給ポンプが給油ポンプである場合の本発明の実施の形態の一例を示す拡大縦断面図である。
【図２】給油ポンプを容器に設置した状態を示す全体正面図である。
【図３】従来の給油ポンプの一例を示す縦断面図である。
【図４】図３のＩＶ部拡大図である。
【符号の説明】
１  容器
２  蓋
５  駆動装置
７  駆動軸
１１  傾斜カム
１１ａ        傾斜面
１２  吸込口
１３  シリンダー室
１４  吸込路
１５  プランジャ
１６  プランジャ受け
１７  スプリング（バネ手段）
２１  吐出路
２２  供給管（外部）
２６  スクリュー軸
【図１】
0003782696.tif 000002
【図２】
0003782696.tif 000003
【図３】
0003782696.tif 000004
【図４】
0003782696.tif 000005